(57)【特許請求の範囲】
【請求項１】
第１の端部および反対側の第２の端部を有する細長い柄と、
前記細長い柄に関して摺動自在に配置されたランナーと、
開位置と閉位置との間で移動する、複数の支柱によって前記ランナーに連結されている複数の骨の組を含む骨組立体であって、前記開位置では、前記複数の前記骨の組が、開いて、拡張された位置にあり、前記閉位置では、前記複数の前記骨の組が、閉じて、折り畳まれた位置にあり、骨の各組が第１の骨、第２の骨、および第３の骨を含み、前記第１の骨が、前記細長い柄に枢動可能に取り付けられていて、前記第３の骨が遠位骨である、骨組立体と、
前記第１の骨を前記第２の骨に枢動可能に取り付けている第１の骨接合と、
前記第２の骨を前記第３の骨に枢動可能に取り付けている第２の骨接合と、
複数の抗反転ばね要素であって、各抗反転ばね要素が、１本の第２の骨の長さに沿って配置されており、前記抗反転ばね要素が、前記第１の骨接合に固定して取り付けられている第１の端部および自由な反対側の第２の端部を有し、前記抗反転ばね要素が、前記第２の骨がその中に延在するコイル部を有し、前記抗反転ばね要素が、前記骨組立体に、前記傘に加えられる反転力に対抗する力を加えるように構成されている、複数の抗反転ばね要素と、
前記抗反転ばね要素の前記第２の端部に取り付けられた第１の端部、および前記第３の骨の自由遠位端に固定して配置されている先端に取り付けられた第２の端部を有する、可撓性ワイヤーと
を含む、傘。
【請求項２】
前記細長い柄が、増強されたねじり強度を前記細長い柄に提供するために、複数の湾曲部および前記複数の湾曲部の間に組み入れられた複数の平面部によって画定された断面形状を有する、
請求項１に記載の傘。
【請求項３】
前記細長い柄が手動で展開されるタイプである、請求項２に記載の傘。
【請求項４】
前記細長い柄が自動的に展開されるタイプである、請求項２に記載の傘。
【請求項５】
前記細長い柄が、複数の伸縮式柄部から形成される、請求項２に記載の傘。
【請求項６】
各伸縮式柄部が、前記複数の湾曲部および前記複数の湾曲部の間に組み入れられた前記複数の平面部によって画定された断面形状を有する、請求項５に記載の傘。
【請求項７】
３つの湾曲部および前記３つの湾曲部の間に組み入れられた３つの平面部があり、前記３つの湾曲部の各々が、凸形状を有する、請求項２に記載の傘。
【請求項８】
前記平面部が、互いに約１２０度離れて配置されている、請求項７に記載の傘。
【請求項９】
前記骨組立体を形成する前記複数の骨が、相互に連結された骨の複数の組に分割されていて、１本の支柱が、相互に連結された骨の１組に連結されている、請求項２に記載の傘。
【請求項１０】
相互に連結された骨の各組が、第１の材料で形成された少なくとも１本の骨および前記第１の材料とは異なる第２の材料で形成された少なくとも１本の骨から形成される、請求項２に記載の傘。
【請求項１１】
前記第１の材料が、アルミニウム合金であり、前記第２の材料が、炭素材である、請求項１０に記載の傘。
【請求項１２】
相互に連結された骨の各組が、前記柄および第２の骨に枢動可能に連結された第１の骨を含み、前記第２の骨も第３の骨に枢動可能に連結されていて、前記対応する支柱が前記ランナーと前記第１の骨の間に延在する、請求項１０に記載の傘。
【請求項１３】
相互に連結された骨の前記１組の少なくとも１本の骨が、増強されたねじり強度を前記少なくとも１本の骨に提供するために、複数の湾曲部および前記複数の湾曲部の間に組み入れられた複数の平面部によって画定された断面形状を有する、請求項９に記載の傘。
【請求項１４】
３つの湾曲部および前記３つの湾曲部の間に組み入れられた３つの平面部があり、前記３つの湾曲部の各々が、凸形状を有する、請求項１３に記載の傘。
【請求項１５】
前記平面部が、互いに約１２０度離れて配置されている、請求項１４に記載の傘。
【請求項１６】
前記第１の骨、第２の骨、および前記第３の骨のうち少なくとも１つが、細長い本体であって、前記本体の周りに円周方向に配置された複数の切子面によって画定された断面形状を有する、細長い本体
を含む、請求項１に記載の傘。
【請求項１７】
前記本体の前記断面形状が、増強されたねじり強度を前記細長い本体に提供するための、湾曲部および前記複数の湾曲部の間に組み入れられた複数の平面部によって画定される、請求項１６に記載の傘。
【請求項１８】
前記細長い本体が、溝型炭素（ｆｌｕｔｔｅｄ  ｃａｒｂｏｎ）材料で形成される、請求項１６に記載の傘。
【請求項１９】
３つの湾曲部および前記３つの湾曲部の間に組み入れられた３つの平面部があり、前記３つの湾曲部の各々が、凸形状を有する、請求項１６に記載の傘。
【請求項２０】
前記平面部が、互いに約１２０度離れて配置されている、請求項１６に記載の傘。
【請求項２１】
前記抗反転ばね要素が前記第２の骨の下面に沿って配置されていて、前記骨の組が前記開いて、拡張された位置にある場合に、その前記第２の端部が、前記第２の骨の前記下面から間隔をあけられていて、前記抗反転ばね要素が、前記傘の反転に抵抗するために、前記ワイヤーの使用を通してバイアス力を加える、請求項２０に記載の傘。
【請求項２２】
前記コイル部から前記第２の端部まで測定される前記抗反転ばね要素の長さが、前記第２の骨から間隔をあけられるのを可能にしながら、前記抗反転ばね要素を前記第１の骨接合にしっかりと取り付けるために、前記抗反転ばね要素の前記第１の端部が、前記第１の骨接合の一方の端部内の開口部と係合するフックを含む、請求項２０に記載の傘。
【請求項２３】
前記ワイヤーの前記第２の端部が、２つを一緒に解放可能に取り付けるために、前記ワイヤーの前記第１の端部においてループを受け取る、前記ワイヤーのループ状部によって画定されたフック部材を含む、請求項２０に記載の傘。
【請求項２４】
前記ワイヤーが、ナイロン被覆ステンレス鋼ワイヤーを含む、請求項２０に記載の傘。
【請求項２５】
前記先端が、第１および第２の端部ならびに主開口部を有する細長い本体を含み、前記主開口部が、その長さに沿って縦方向に延在し、前記第３の骨ならびに、前記先端の前記細長い本体の外表面にそって前記第１および第２の端部の間に形成された管状コネクタを受け入れるためであって縦方向に延在するために、前記第１の端部で開いていて、前記先端の前記細長い本体の前記外表面が、その中に形成された溝を有し、前記ワイヤーの前記第２の端部がループを備え、前記溝内に配置されて、それが前記抗反転ばね要素の前記第２の端部まで延出するときに、前記管状コネクタ内に形成されたスルーホールを通り、それが前記抗反転ばね要素に取付けられる、請求項２０に記載の傘。
【請求項２６】
前記コネクタが、その中心を通って延在している前記スルーホールのある管状構造を含む、請求項２５に記載の傘。
【請求項２７】
前記第１の骨に取り付けられている第１の端部および前記第２の骨接合に取り付けられている第２の端部を有する細長いワイヤー構造の形をした補強部材をさらに含み、前記補強部材が、前記第２の骨の周囲に配置されている中間コイル部を有する、請求項２０に記載の傘。
【請求項２８】
前記開いて、拡張された位置において、前記抗反転ばね要素が概ね、前記第２の骨の下に配置され、前記ワイヤーが概ね、前記第３の骨の下に配置されている、請求項２０に記載の傘。
【請求項２９】
（１）前記細長い柄の前記第２の端部にある取っ手であって、前記取っ手が、第１の開口部を有する第１の本体部を含む、取っ手と、（２）コネクタを有するループ状ストラップとをさらに含み、前記ループ状ストラップが前記取っ手に解放可能に取り付けられるのを可能にするために、バヨネットマウントが、前記コネクタと前記第１の本体部の前記第１の開口部との間に形成されている、請求項２０に記載の傘。
【請求項３０】
前記コネクタが、キャップ構造物に沿って形成された一対の対向する突起を含み、前記第１の本体部が、前記対抗する突起を受け入れる一対の対向する切欠きを含む前記第１の開口部を画定する雌の覆いを含む、請求項２９に記載の傘。
【請求項３１】
前記第１の本体部が、取っ手カバーおよびばねを含み、前記取っ手カバーが前記雌の覆いの中空内部内に受け入れられて、前記ばねが、前記取っ手カバーに対して力を加え、それにより、静止位置において、前記ループ状ストラップが前記取っ手から取り外されるときに、前記取っ手カバーが前記第１の開口部を塞ぐようにする、請求項３０に記載の傘。
【請求項３２】
第１の端部および反対側の第２の端部を有する細長い柄と、
前記細長い柄に関して摺動自在に配置されたランナーと、
開位置と閉位置との間で移動する、複数の支柱によって前記ランナーに連結されている複数の骨の組を含む骨組立体であって、前記開位置では、前記複数の前記骨の組が、開いて、拡張された位置にあり、前記閉位置では、前記複数の前記骨の組が、閉じて、折り畳まれた位置にあり、骨の各組が第１の骨、第２の骨、および第３の骨を含み、前記第１の骨が、前記細長い柄に枢動可能に取り付けられていて、前記第３の骨が遠位骨である、骨組立体と、
前記第１の骨を前記第２の骨に枢動可能に取り付けている第１の骨接合と、
前記第２の骨を前記第３の骨に枢動可能に取り付けている第２の骨接合と、
複数の抗反転ばね要素であって、各抗反転ばね要素が、１本の第２の骨の長さに沿って配置されており、前記抗反転ばね要素が、前記第２の骨に接続された第１の端部とおよび自由な反対側の第２の端部を有し、前記抗反転ばね要素が、前記骨組立体に、前記傘に加えられる反転力に対抗する力を加えるように構成されている、複数の抗反転ばね要素と、
前記抗反転ばね要素の前記第２の端部に取り付けられた第１の端部、および前記第３の骨の自由遠位端に固定して接続されている先端に取り付けられた第２の端部を有する、可撓性ワイヤーと
を含む、傘。
【請求項３３】
前記抗反転ばね要素の前記第１の端部が、前記第２の骨を前記第１の骨に枢動可能に接続する前記第１の骨接合に直接接続される、請求項３２に記載の傘。
【発明の詳細な説明】
【技術分野】
【０００１】
本発明は、傘に関し、より詳細には、増強されたねじり強度を有する、傘の柄および骨組立体に関する。
【背景技術】
【０００２】
周知のように、傘は使用者を、要素から、詳細には、液体および固形降水または太陽など、からさえ保護する道具である。従来の傘は、次の部品を有する：ポール、天蓋、骨、ランナー、ばねおよび石突き。ポールは、傘の下部の取っ手（またはパティオ用モデルの場合には基部の台）と上部の天蓋との間に伸びる金属製または木製の柄である。天蓋は、雨、風および太陽を捕らえる傘の織物部品である。骨は、傘のその構造および形状を与えるものである。外側の骨が天蓋を支え、内側の骨（ストレッチャーと呼ばれることもある）が支持物として機能して、外側の骨を傘のポールに連結する。ランナーは、骨／ストレッチャーに連結されて、ポールを上下に摺動し、天蓋の開閉に関与する。多くの傘の設計は、天蓋が開いている場合にランナーを支える上はじき、天蓋が閉じている場合にランナーを押し下げる下はじき、および時々、折畳み式モデルにおいてポールの長さを拡張するための中はじきを含む。厳密に装飾物の、フィニアル（石突きとも呼ばれる）が、傘の一番上、天蓋の上に見られる。
【０００３】
傘骨は、傘の天蓋織物を支えている折畳み構造において機能する。通常の動作条件下で、傘の天蓋織物に作用する力は、天蓋が完全に展開されてくる場合、および突風が天蓋をひっくり返す傾向がある場合にピーク値に向かって増加する。これらの力は、天蓋から天蓋の骨に伝えられ、風の向きに応じて、反対の方向に骨に作用し得る。骨は、従って、２つの主な反対方向のどちらからも、それらに作用し得る力に持ちこたえるために十分に強い必要がある。
【０００４】
それらの強度要件に加えて、傘骨の形状は、傘が畳まれている場合の概ね真っ直ぐな形状と、天蓋が完全に展開されている場合の湾曲した形状との間で変化するはずである。真っ直ぐな設計は、傘が畳まれている場合に、折り畳まれた骨が傘の柄と平行に並ぶのを可能にすることを目的とし、また、湾曲した設計は、典型的なキノコのような形状（釣鐘状とも呼ばれる）をもたらす。
【発明の概要】
【課題を解決するための手段】
【０００５】
本発明の例示的な実施形態によれば、傘が、第１の端部および反対側の第２の端部を有する細長い柄ならびに細長い柄に関して摺動自在に配置されたランナーから形成される。傘は、開位置と閉位置との間で移動する、複数の支柱によってランナーに取り付けられている複数の骨を含む骨組立体を含み、開位置では、骨は、開いて、拡張された位置にあり、閉位置では、骨は、閉じて折り畳まれた位置にあり、支柱が少なくとも１本の骨とランナーとの間に延在する。本発明によれば、細長い柄は、増強されたねじり強度を細長い柄に提供するために、複数の湾曲部およびその複数の湾曲部の間に組み入れられた複数の平面部によって画定された断面形状を有する。
【０００６】
一実施形態では、３つの湾曲部およびその３つの湾曲部の間に組み入れられた３つの平面部がある。３つの湾曲部の各々は、凸形状を有する。平面部は、互いに約１２０度離れて配置され得る。
【０００７】
加えて、相互に連結された骨の各組は、第１の材料で形成された少なくとも１本の骨および第１の材料とは異なる第２の材料で形成された少なくとも１本の骨から形成される。第１の材料は、アルミニウム合金であり得、第２の材料は、炭素材であり得る。一実施形態によれば、相互に連結された１組の骨の少なくとも１本の骨が、少なくとも１本の骨に増強されたねじり強度を提供するために、複数の湾曲部およびその複数の湾曲部の間に組み入れられた複数の平面部によって画定された断面形状を有する。３つの湾曲部およびその３つの湾曲部の間に組み入れられた３つの平面部があり、３つの湾曲部の各々が、凸形状を有する。
【図面の簡単な説明】
【０００８】
【図１】本発明に従った、柄および傘骨組立体を含む、手動式タイプの、傘の側面図である。
【図２】本発明に従った、柄および傘骨組立体を含む、自動式タイプの、傘の側面図である。
【図３】図１の柄の一部の拡大側面図である。
【図４】図３の線４−４に沿った断面図である。
【図５】図１の骨組立体の１本の骨の断面図である。
【図６】図１の骨組立体の別の骨の断面図である。
【図７】開位置における抗反転（ａｎｔｉ−ｉｎｖｅｒｓｉｏｎ）機構を示す、自動式タイプの、傘の側面図である。
【図７Ａ】開位置においてピンと張られた、図８の機構の抗反転接合のクローズアップである。
【図７Ｂ】開位置においてピンと張られた、図８の機構の抗反転先端（ｔｉｐ）のクローズアップである。
【図８】図１の傘の一部である抗反転機構の一部であるばねワイヤー要素の側面図である。
【図９】１本の骨に連結された抗反転機構の側面斜視図である。
【図１０】図９の機構および骨の長さに沿った断面図である。
【図１１】抗反転ワイヤーと先端との間の連結を示す、抗反転先端の側面斜視図である。
【図１２】先端の側面図である。
【図１３】図１１の抗反転ワイヤーと先端との間の係合の断面図である。
【図１４】本発明の一実施形態に従った、取り外し可能な取っ手ストラップのついた、傘の取っ手の分解斜視図である。
【図１５】傘の取っ手およびストラップの別の分解図である。
【図１６】傘の取っ手およびストラップの断面図である。
【図１７】傘カバーの正面図である。
【図１８】図１７の傘カバーの断面図である。
【発明を実施するための形態】
【０００９】
本明細書で説明するように、本発明は、柄構造およびその骨組立体を含むが、それらに限定されず、傘のいくつかの構成要素に関する改善を対象とする。本明細書に記述のとおり、本発明の特徴は、手動式タイプの傘および自動式タイプの傘の両方で実装できる。加えて、他の特徴が、他のタイプの傘で実装できる。それに応じて、以下の説明および図は、本発明の教示を実装する例示的な実施形態を記述する。
【００１０】
図１は、明瞭さのため、および本発明の説明を簡潔にするために、１つの骨組立体２００だけが示されている、本発明の１つの例示的な実施形態に従った傘１００の側面図である。傘１００は、第１（上部）の端部１１２および反対側の第２（下部）の端部１１４を有する柄１１０を含む。柄１１０自体は、柄１１０を提供するために協働する任意の数の異なる構成要素から形成でき、図１に例示する柄１１０は、本明細書で説明するように、使用者が傘を手動で開閉する手動式の傘組立体の一部である。第１の端部１１２では、柄１１０を塞ぐためにキャップ１２０が提供され、第２の端部１１４では、使用者が握るための取っ手１３０が提供されている。
【００１１】
図１〜図１３を参照すると、例示された柄１１０は、３つの別個の柄部、すなわち、第１の柄部１１１、第２の柄部１１３、および第３の柄部１１５から形成される。第１の柄部１１１は、一方の端部でキャップ１２０に取り付けられ、その他方の端部で第２の柄部１１３の一方の端部に取り付けられている。第２の柄部１１３は、その他方の端部で第３の柄部１１５の一方の端部に取り付けられている。第３の柄部１１５は、その他方の端部で取っ手１３０に取り付けられている。従って、第１の柄部１１１は、一番上の柄部を表し；第２の柄部１１３は、中間の柄部を表し；そして、第３の柄部１１５は、一番下の柄部を表す。個々の柄部１１１、１１３、１１５の寸法は異なり得、詳細には、長さおよび幅（例えば、直径）の少なくとも１つが異なり得る。例示した実施形態では、第１の柄部１１１は、他の２つの部分１１３、１１５に比べて最大の幅を有し、第３の柄部１１５は、他の２つの部分１１１、１１３に比べて最小の幅を有する。例えば、第１の柄部１１１は、１４ｍｍの柄部であり得；第２の柄部１１３は、１２ｍｍの柄部であり得；そして第３の柄部１１５は、１０ｍｍの柄部であり得る。手動式の柄１１０は、従って、傘１１０が開かれるとき、柄部１１１、１１３が、傘の柄１１０の中心縦軸に沿って拡張される、伸縮式構造として動作できる。
【００１２】
柄部１１１、１１３の間に、連結部材１０５が提供され得、詳細には、連結部材１０５はシャフトリング（例えば、１４ｍｍシャフトリング）であり得る。
【００１３】
前述のように、傘の主要な構成要素の１つは、ランナー１５０である。ランナー１５０は、ランナー１５０を柄１１０に沿って移動させて、傘１００を開閉する、傘の一部である。ランナー１５０は、連結部材１０５とキャップ１２０との間に配置されて、柄１１０の周りを囲む。例示した実施形態では、ランナー１５０は、円筒形状基部１５２およびランナーリング１５４を含む、いくつかの部品または部分から形成される。
【００１４】
本発明の一態様によれば、柄１１０は、増大したねじり強度を提供するために設計されているカスタマイズされた形状を有する。図３は、柄１１０の断面の側面図であり、図４は、柄１１０の断面図を示す。詳細には、柄１１０は、その周囲に形成された面（平面／平面部）１１７を含むが、さらに、面１１７の間など、選択領域内に湾曲１１９を有するという点において、切子面のある設計を有する。例示した実施形態では、互いに約１２０度離れて形成された３つの面１１７がある。柄部１１１、１１３、１１５の各々は、幅だけが部１１１、１１３、１１５の間で変わる、この構造を有することが理解されるであろう。
【００１５】
以下の説明から理解されるように、骨組立体２００は、キャップ１２０およびランナー１５０の両方に連結されており、これは、ランナー１５０の移動の方向に基づき、骨組立体２００および取り付けられた天蓋（図示せず）の開閉をもたらす。骨組立体２００とランナー１５０との間の連結は、支柱３００によって行われる。支柱３００は、第１の端部３０２および反対側の第２の端部３０４を有する細長い構造物であり、第１の端部３０２は、骨組立体２００に枢動可能に取り付けられており、第２の端部３０４は、ランナー１５０に枢動可能に取り付けられている。支柱３００とランナー１５０との間および支柱３００と骨組立体２００との間の枢動連結は、リベットまたはピンなどの、締め具で達成され得る。さらに具体的に言うと、第１の支柱接合３１０が、第１の端部３０２で、支柱３００と骨組立体２００との間に形成され、第２の支柱接合３２０が、第２の端部３０４で、支柱３００とランナー１５０との間に形成される。
【００１６】
支柱３００は、金属（例えば、亜鉛合金）を含む、任意の数の異なる材料で形成できる。
【００１７】
図１〜図１３に示すように、骨組立体２００は、開閉する骨組立体を提供するために、互いに、および傘の他の構成要素と連結されている、いくつかの構成要素で形成される。例示した実施形態では、骨組立体２００は、複数の骨を含み、さらに詳細には、骨組立体２００は、３つの別個の骨、すなわち、第１の骨２１０、第２の骨２２０、および第３の骨２３０を含む。第１の骨２１０は、第１の端部２１２および反対側の第２の端部２１４を含み；第２の骨２２０は、第１の端部２２２および反対側の第２の端部２２４を含み；そして、第３の骨２３０は、第１の端部２３２および反対側の第２の端部２３４を含む。
【００１８】
骨２１０、２２０、２３０の間の取り付け具は、骨組立体２００が、開閉の両方を可能にするために、枢動可能な特質をもつ。より詳細には、かつ本明細書で説明するように、骨組立体２００が開くこと（拡張）および閉じること（折畳み）の両方を行う場合に、枢動可能接合または同様のものが、所望の骨動作を可能にするためにそれぞれの部品間に提供できる。
【００１９】
第１の骨２１０の第１の端部２１２は、上部のキャップ１２０に枢動可能に連結され、第２の端部２１４は、第１の骨接合４１０に連結されており、それは、以下で説明するように、抗反転骨接合の形である。第１の骨接合４１０は、第１の骨２１０および第２の骨２２０が、完全な閉位置と完全な開位置（図７）との間で枢動するのを可能にするように構成される。第１の骨接合４１０は、いくつかの付着点を含み、具体的には、第１の骨接合は、第１の骨２１０の第２の端部２１４が取り付けられる、第１の付着点４１１を含む。第１の骨接合４１０は、以下で説明するように、別の部品に取り付けられる、第２の付着点４１３も含み、第２の骨２２０の第１の端部２２２に取り付けられる、第３の付着点４１５を含む。第１の骨接合４１０の構造は、付着点４１１、４１３、４１５が、第１の骨接合４１０に取り付けられる要素の各々がそれに関して枢動するという点において、枢動特質をもつような、タイプである。
【００２０】
第２の骨２２０の第２の端部２２４は、第３の骨２３０の第１の端部２３２に連結されている。具体的には、第２の骨接合４５０は、第２の骨２２０と第３の骨２３０との間に提供される。第２の骨接合４５０は、第２の骨２２０および第３の骨２３０が、完全な閉位置と完全な開位置（図７）との間で枢動するのを可能にするように構成される。第２の骨接合４５０は、いくつかの付着点を含み、具体的には、第２の骨接合４５０は、第２の骨２２０の第２の端部２２４が取り付けられる、第１の付着点４５１を含む。第２の骨接合４５０は、以下で説明するように、別の部品に取り付けられる、第２の付着点４５３も含む。第２の骨接合４５０の構造は、付着点４５１、４５３が、第２の骨接合４５０に取り付けられている要素の各々がそれに関して枢動するという点において、枢動特質をもつような、タイプである。
【００２１】
支柱３００は、第１の骨２１０に枢動可能に連結される。図１および図２に示すように、支柱３００は、第１の骨２１０に、その中間位置で取り付けられており、支柱３００が、ランナー１５０の動きに起因して上方に動くと、骨組立体２００が開くように設計されている。
【００２２】
骨組立体２００は、いくつかの補強要素も有する。より詳細には、骨組立体２００は、第１の端部２７２で（枢動接合における）支柱３００の端部３０２に連結され、第２の端部２７４で連結点４１３における枢動点４１０に連結される第１の補強要素２７０を含み得る。図のように、第１の補強要素２７０と第２の骨２２０との間の連結は、第１の端部２２２に近く、他方、第１の骨２１０と第２の骨２２０との間の連結は、第１の端部２２２からわずかに間隔があいた位置にある。第１の補強要素２７０と支柱３００と第２の骨２２０との間の連結は、枢動点４１０の構造に基づく枢動可能な特質をもつ。
【００２３】
一例では、補強要素２７０は、例えば、細長い棒、ワイヤー、ケーブル、ばね要素などの、細長い構造物の形である。補強要素２７０は、補強を提供する働きをするとともに、骨組立体の動作によって生成される力を制御する働きもする。
【００２４】
本発明の一態様によれば、抗反転機構４００が提供されて、選択された動作条件中に、具体的には、風の強い条件または他の悪条件中に、傘に加えられる反転力に対抗するように構成される。傘の使用者によって良く知られているように、突然の突風が傘の内側の方に上方に向かう場合、風によって加えられた圧力が天蓋を反転させて、骨に逆効果を引き起こし、それを外側に向けるであろう。天蓋は、一般に、反転が生じると凹形状をとり、同様に、骨は、意図しない方向に枢動するように強制的されて、１本以上の骨が折れる結果となり得る。これは、傘を使用不能にする。本発明の傘は、いくつかの構成要素で構成される抗反転機構４００を有し、それらの構成要素については、以下で個々に説明する。
【００２５】
図７は、構成要素の１つ以上が張力を受けている、開（正常）位置における抗反転機構４００を示す。より詳細には、抗反転機構４００は、抗反転骨接合４１０および抗反転ばね４２０を含む。
【００２６】
抗反転骨接合４１０は、実際には、第１と第２の骨２１０、２２０との間の接合であり、骨２１０、２２０が部分的に開いている、図２、および骨２１０、２２０が完全に開いて、ランナー１５０が固定位置にある、図７を考慮して理解されるように、第１と第２の骨２１０、２２０との間での開閉を可能にする。抗反転骨接合４１０は、抗反転ばね４２０の一方の端部がしっかりと固定されている構造も提供し、より詳細には、抗反転ばね４２０の第１の端部４２２が抗反転骨接合４１０に連結されている。
【００２７】
抗反転ばね４２０は、反対側の第２の端部４２４を有し、可撓性材料から形成され、そのばねとして機能する結果として、弾力性を有する。抗反転ばね４２０の長さに沿って、抗反転ばね４２０は、第１の端部４２２に隣接してコイル部４２５を有する。図７Ａおよび図１０および図１１に示すように、抗反転ばね４２０は、第２の骨２２０および抗反転骨接合４１０の両方に連結されている。より詳細には、抗反転ばね４２０は、抗反転骨接合４１０の一方の端部（遠位端）に隣接した第２の骨２２０の周囲に配置されているコイル部４２５を除いて、概ね、第２の骨２２０の下面（底面）に沿って伸びている。抗反転ばね４２０は、従って、第２の骨２２０に巻き付いて、抗反転骨接合４１０の後部（近位端）に連結する。より詳細には、抗反転ばね４２０は、抗反転接合４１０の近位端に沿って配置されている垂直端部（端壁）４２７によって形成されているフック部４２６をその第１の端部４２２に、および、抗反転接合４１０の近位端に形成されている、開口部、スロットなどの中に配置されているリップ部４２７を有する。
【００２８】
コイル部４２５は、従って、第２の骨２２０がその中に延在する中心穴を有する複数のコイルによって画定される。抗反転ばね４２０の残りの部分は、第２の端部４２４を表す、自由遠位端を有する細長いワイヤーの形であり得る。抗反転ばね４２０の長さは、第２の骨２２０の長さよりも短い。
【００２９】
抗反転ばね４２０の第２の端部４２４は、第２の骨２２０に取り付けられているのではなく、それから自由である。抗反転ばね４２０の第２の端部４２４は代わりに、その反対側の端部で抗反転先端４３０に取り付けられている、ワイヤーまたはケーブル２９７に、第３の骨２３０の第２の端部２３４で取り付けられている。ケーブル２９７は、従って、第３の骨２３０から間隔があいているが、第３の骨２３０の長さに沿って延在する。ワイヤー／ケーブル２９７は、従って、本明細書で開示するように、抗反転機構を天蓋先端４３０に取り付ける抗反転ワイヤーであると考えられ得る。ケーブル２９７は、ナイロン被覆ステンレス鋼ワイヤーの形式であり得、好ましくは、それである。しかし、ケブラー繊維または他のタイプの高強度繊維などの、他の構造も適切であり得る。
【００３０】
ワイヤー２９７の一方の端部を抗反転ばね４２０の第２の端部４２４に取り付けるために、任意の数の異なる技術が使用できる。例えば、抗反転ばね４２０の第２の端部４２４は、ワイヤー２９７の一方の端部を抗反転ばね４２０に取り付けるのを可能にするフックまたは他の構造を含み得る。フック４４０は、ワイヤー２９７の一方の端部においてループがフック４４０に取り付けられるのを可能にするための開口部を備えた、コイルまたは湾曲した構造を有し得る。
【００３１】
図７Ｂおよび図１２に最も良く示されているように、ワイヤー２９７の他方の端部が抗反転先端４３０に取り付けられている。抗反転先端４３０は、第１の端部４３１および、閉じた遠位端を表す、反対側の第２の端部４３２を有する。第１の端部４３１は、第３の骨２３０の第２の端部２３４が、先端４３０の本体内に形成された開口部（スロット)に挿入されることによって、取り付けられている、端部である。
【００３２】
本発明によれば、抗反転先端４３０は、その中に形成された凹みまたは溝４３３を有し、詳細には、溝４３３は、抗反転先端４３０の本体の側面および最上部に沿って延在する。溝４３３は、ワイヤー２９７がその中に受け入れられて収容されるのを可能にする深さである。溝４３３は、従って、ワイヤー２９７を抗反転先端４３０に位置付けて取り付けるための位置決めおよび連結機能として働く。
【００３３】
抗反転先端４３０は、先端４３０の第１の端部４３１に近接し、その下面に沿って配置されている、小型の中空管状構造物の形をした底面ワイヤーコネクタ４３５も含む。コネクタ４３５は、両方の端部で開いている可能性があり、一方の開いた端部が溝４３３に近接している。ワイヤー２９７は、先端４３０の最上部にワイヤー２９７をかけることによって抗反転先端４３０に取り付けられ、それにより、ワイヤー２９７が溝４３２内に配置され（固定され）、次いで、ワイヤー２９７の自由端がコネクタ４３５を通される。これは、ワイヤー２９７が所定の位置に固定される結果となる。
【００３４】
抗反転機構はまた、以下で説明するように、別の補強要素、すなわち、第１の骨２１０と第３の骨２３０との間に取り付けられ、第２の骨２２０にも連結されている、第２の補強要素２８０と一体となって機能する。第２の補強要素２８０は、第１の端部２８２および反対側の第２の端部２８４を有する細長い構造物であり、第１の端部２８２は、その第２の端部２１４に近接した第１の骨２１０に取り付けられている。第２の補強要素２８０の第２の端部２８４は、第２の付着点４５３で第２の骨接合４５０に取り付けられている。本明細書で説明するように、第２の補強要素２８０と第１の骨２１０と第３の骨２３０との間の連結は、傘が開閉されると、骨２１０、２３０が自由に開閉するタイプである。
【００３５】
例示した実施形態では、第２の補強要素２８０は、線形構造ではなく、むしろコイル構造であり、より詳細には、要素２８０は、端部２８２、２８４の間に中間コイル部２８５を含む。コイル部２８５は、端部２２２、２２４の間のその中間位置で第２の骨２２０に巻き付いた単巻線（コイル）の形であり得る。
【００３６】
補強要素２７０と同様に、補強要素２８０は、例えば、細長い棒、ワイヤー、ケーブル、ばね要素などの、細長い構造物の形であり得る。
【００３７】
さらに具体的に言うと、骨（ストレッチャー部材）がアルミニウム合金で作られる理由は、それが、使用時に好都合であって、傘の動作を支える適切な強度を提供する軽量であることである。かかる設計は、通常の環境ではいかなる欠点も明らかにならない。しかし、風が強い地域では、傘の天蓋が、強い風に耐えているときに、反転し得るので、かかる骨構造は、容易に破損するか、または壊れるであろう。反転させる風力は、骨の１本以上を不可逆的に曲げることによって、容易に破損させるか、または壊すであろう。それは、傘の耐用期間を終わらせる。これは、従来のアルミニウム合金製傘の主な欠点である。
【００３８】
第２の補強要素２８０は、傘の適切な動作を確実にするために、抗反転ばね４２０と組み合わせて機能するアクチュエータばねであると考えられ得る。
【００３９】
抗反転ばね４２０は、従って、天蓋の下面に加えられた力（例えば、圧力）の結果として、傘の反転に抵抗する反作用の力を加えるように構成される。抗反転ばね４２０は（ワイヤー２９７と一緒に）、従って、骨組立体２００、詳細には、第３の骨２３０などを、正常な動作位置に維持するためにバイアス力を加える。このバイアス力は、それ故、加えられた反転力（例えば、上向きの突然の突風）の結果としての第３の骨２３０の上方移動に対抗する。ワイヤー２９７の強度は、天蓋の外側周辺部が、上方に持ち上がることにより反転する（その部品への圧力となり、破損しやすくなる）のを防ぐ。
【００４０】
加えて、第２の補強要素２８０（アクチュエータばね）２８０は、反転力などの、力が傘に加えられた場合に、第２の骨２２０が壊れるのを防ぐように設計されている。抗反転ばね４２０およびアクチュエータばね２８０の動作は、従って、傘がその意図した形状を悪条件下で維持するのを確実にする。
【００４１】
骨２１０、２２０、２３０は、任意の数の異なる材料で作ることができ、本発明に従い、骨２１０、２２０、２３０は２つ以上の異なる材料で作られ得ることが理解されるであろう。例えば、骨２１０は、第１の材料で作ることができ、骨２２０、２３０は、第２の材料で作ることができる。骨２１０は、アルミニウムなどの、金属で作ることができ；しかし、本発明の一態様によれば、骨２２０、２３０は、炭素材（例えば、溝型炭素（ｆｌｕｔｔｅｄ  ｃａｒｂｏｎ））で作られる。
【００４２】
加えて、傘１００の柄１１０と同様に、骨２１０、２２０、２３０のうちの１本以上は、ねじり強度のために設計されたカスタム形状を有する。一実施形態では、前述のように、骨２２０、２３０は、炭素材で形成でき、本明細書で説明するカスタム形状を有し得る。図５および図６の断面図に示すように、骨２２０、２３０は、複数の平面部２９３（平面）が組み入れられた、複数の湾曲部２９１によって画定される形状を有する。具体的には、骨２３０の断面が図４に示されており、他方、骨２２０の断面が図５に示されている。例示した実施形態では、３つの湾曲部２９１および３つの平面２９３があり、湾曲部２９１が平面２９３と交互に配置されて骨の形状を形成している。この骨の形状は、増強されたねじり強度をもたらす。
【００４３】
傘の各部品はその動作に必要であるが、ランナー１５０は、それを開閉する部品である。ランナー１５０が下まで下がっている場合、支柱３００は柄に対して平らに折り畳まれて、傘は、防水材料および骨を柄の周囲に巻いて「閉じて」いる。傘を開くために、使用者はランナー１５０を最上部まで摺動させる。支柱３００が広がり、それらが取り付けられている骨を起こして、材料（天蓋）を骨の上にピンと広げる。
【００４４】
本明細書で説明するように、柄１１０および骨２２０、２３０のうちの１本以上の両方は、切子面のある設計をすることにより、増強されたねじり強度をもたらすためにカスタム設計されている。本明細書で説明するように、ねじり強度は、ねじり荷重を受ける材料の極限強度であり、断裂前に材料が持ちこたえる最大ねじり応力である。言い換えれば、ねじり強度は、ねじれ（トルク）に対する材料の抵抗力であり、せん断強度に関連する。
【００４５】
図２および図７は、柄１１０および骨組立体２００を含むという点において傘１００と極めてよく似ている、傘１０１を示している。傘１０１は、（図１に示す手動式タイプと対照的に）自動式タイプであり、従って、取っ手１３０は自動化されており、押しボタン５５０などの、アクチュエータを含む。図示された押しボタンは、ボタン５５０を一度押すと、傘を開いて、図７に示す配置をとるという点において、デュアルアクチュエータとして設計されている。ボタン５５０を二度目に押すと、柄を伸びたままにして、天蓋が（骨組立体の制御された折畳みを引き起こすことにより）折り畳まれる。使用者は、次いで、ランナー１５０を下方に引くことにより傘を閉じる。
【００４６】
図１４〜図１６は、図２の傘の部品である取っ手１３０の詳細を示す。傘のモデルタイプに応じて、取っ手１３０の部品は異なる動作を実行する。例えば、取っ手１３０の部品は、柄を外側に進めて天蓋を少なくとも一部開くことにより、傘を少なくとも一部開くように構成できるか、または柄は、前述のように、傘を開くだけでなく、傘を少なくとも一部閉じる（例えば、骨を折り畳むことにより天蓋を折り畳む）ようにも構成できる。
【００４７】
図１４に示すように、取っ手１３０は、コネクタ１３５を含む、（合成物質などの）適した材料で形成されたループ状ストラップ１３２を含む。コネクタ１３５は、一対の突起１３７がコネクタ１３５の外表面から外側に延出している、キャップ（円筒形状の覆い）の形である。突起１３７は、キャップと一体的に形成でき、互いに反対側に（１８０度離れて）配置される。本明細書で説明するように、ストラップ１３２は、本明細書で説明するように、ストラップが容易に取り付けられて、取っ手１３０から容易に取り外すのを可能にするバヨネットマウント組立体の一部である。
【００４８】
周知のように、バヨネットマウントは、２つの部品を一緒に固定しておくための、１つ以上のラジアルピンを備えた円筒形状の雄側、ならびに一致するＬ字形のスロット（複数可）およびねじ（複数可）を備えた雌の受容器から成る締付け機構である。スロットは、セリフ付き（水平アームの端部にある短い上向きの断片）の大文字Ｌのような形にされて；ピンがＬの垂直アーム内に滑り込み、水平アームにわたって回転し、次いで、ばねにより、短い垂直「セリフ」内に上向きにわずかに押され；コネクタは、ピンが「セリフ」から出るまでばねに対して下方に押されない限り、もはや自由に回転できない。
【００４９】
図１５および図１６に最も良く示されているように、傘の取っ手１３０は、いくつかの部品から形成され、そのいくつかは従来型のものである。具体的には、取っ手１３０は、第１の本体部５００および第２の本体部５１０を有する。第１の本体部５００は、傘の取っ手の下方部分に配置されている取っ手の握りの形であり、第２の本体部５１０は、取っ手本体の形であって、傘の取っ手の上端に、またはその近くに配置されている。第１および第２の本体部５００、５１０の各々は、中空部品であり、第２の本体部５１０の下端が第１の本体部５００の中空内部に受け入れられるが、第１の本体部５００の下端までは延在していない。第１の本体部５００は、バヨネット式ストラップ組立体５２０がその中に配置される開口部も含む。バヨネット式ストラップ組立体５２０は、中空の雌の覆い５２２を含み、かつ、第１の端部５２３における開口部および反対側の第２の端部５２４における開口部を含む。第１の端部５２３はフランジ５２５も含む。
【００５０】
中空内部および第２の端部５２４における開口部は、コネクタ１３５の形状を補完するように構成され、従って、内部および第２の端部５２４における開口部は、円形状の中央開口部から外側に延出して、覆い５２２の長さに延在する、一対の切欠き５２９のある円形状を有する。コネクタ１３５の突起１３７が切欠き５２９内に受け入れられる。切欠き５２９は、従って、突起１３７と切欠き５２９との間に位置決めがない限り、挿入が可能でないので、コネクタ１３５を挿入するための案内手段を提供する。
【００５１】
ストラップ組立体５２０は、バヨネット式キャップ５３０および、バヨネット式キャップ５３０に力を加える、ばね５４０などの、バイアス手段も含む。キャップ５３０は、ばね５４０の一方の端部を受け入れる中空内部を有する。例示されたキャップ５３０は、円筒形状を有し、そこから外側に延出する一対の突起５３２を含む。突起５３２は突起１３７に類似しており、覆い５２２の中空内部内でのキャップ５３０の平行移動（縦方向）を可能にするために、切欠き５２９内に配置される。ばね５４０の他方の端部が、壁５３５に接触して配置される。ばね５４０は、バイアス力をキャップ５３０に加えて、キャップ５３０を第１の本体部５００の下端とぴったり重ねる。言い換えれば、キャップ５３０は、覆い５２２の露出された底表面とぴったり重なったままである。これは、キャップ５３０が覆い５２２内の開口部を塞ぎ、ばね５４０のバイアス力に起因してこの閉じた位置のままであるので、使用者がループ状ストラップを使わないことを選んだ場合に、取っ手の底面が、きれいで魅力的な外観を有するので、魅力的な取っ手の設計をもたらす。
【００５２】
使用者が、突起１３７を切欠き５２９と一致させて、コネクタ１３５を覆い５２２の底面開口部に挿入する場合、ばね５４０が圧縮するので、キャップ５３０は下端から離される。キャップ５３０およびコネクタ１３５は、コネクタ１３５の突起１３７が縦の切欠き５２９を通過するまで覆い５２２の中空内部内に押し込まれ、コネクタ１３５をねじると、突起１３７が固定用スロット（「セリフ」）に入る。この動作は、コネクタ１３５を所定の位置に有効に固定し、従って、ループ状ストラップが、ばね５４０のバイアス力に起因して取っ手に対して適切な位置に固定される。ループ状ストラップを取り外すには、ステップが逆にされ、突起１３７が切欠き５２９と再度一線に並ぶまで、コネクタ１３５が回転される。ばね５４０のバイアス力は、コネクタ１３５を覆い５２２から押し出す。
【００５３】
コネクタ１３５は、従って、バヨネットマウントの雄部を表し、覆い５２２は雌部を表す。
【００５４】
本発明の一態様によれば、第２の本体部５１０は、天蓋の展開（開くこと）および完全に開いた天蓋の折畳みのうちの少なくとも１つを引き起こす押しボタン組立体の形をしたアクチュエータ組立体と係合するように構成されている。具体的には、第２の本体部５１０は、使用者がアクセス可能であり、アクチュエータ組立体の起動を引き起こすために押すことができる、押しボタン５５０が通るのを可能にするために、その中に形成されたスルーホールまたは開口部５１５を有する。一実施形態では、スルーホール５１５は、図１５に示すような両方向矢印または片矢印などの、矢印形状を有する。片矢印ボタンは、ボタンの押下が柄の拡張のみを引き起こし、使用者が天蓋を開くことができるシステムを代表する。逆に、両方向矢印ボタンは、ボタンの押下が柄の拡張だけでなく、天蓋の自動オープンも引き起こし、ボタンを二度目に押すと（天蓋が開いている場合）、天蓋を自動的に閉じ、それにより、傘を完全に閉じるために柄が手動で引っ込められるシステムを代表する。
【００５５】
アクチュエータ（ボタン）組立体は、中空内部および第１の端部５６２および反対側の第２の端部５６４を有する取っ手内部アダプタ５６０をさらに含む。第２の端部５６４は、第２の本体部５１０の中空内部内に受け入れられる。取っ手内部アダプタ５６０は、側面開口部５６１も含む。組立体は、取っ手内部アダプタ５６０の中空内部内に配置されるように、側面開口部５６１を通って受け入れられるサイズおよび形状である、押しボタンアクチュエータ５７０をさらに含む。押しボタンアクチュエータ５７０は、取っ手内部アダプタ５６０の中空内部内を摺動的に（横方向に）移動する。押しボタンアクチュエータ５７０の背面が、ばねなどの、バイアス要素５８０と係合し、ばねは、取っ手内部アダプタ５６０と押しボタンアクチュエータ５７０との間に配置されて、力（復元力）を押しボタンアクチュエータ５７０に加える。押しボタンアクチュエータ留め具５８５も提供されて、取っ手内部アダプタ５６０の中空内部内に配置される。
【００５６】
本発明によれば、押しボタン５５０自体は、押しボタンアクチュエータ５７０から分離していることが理解されるであろう。しかし、押しボタンアクチュエータ５７０は、同じ部品が、片矢印ボタンまたは両方向矢印ボタンなどの、異なるタイプのボタンと係合できるという点において、事実上、モジュールである。押しボタンアクチュエータ５７０の前面は、押しボタン５５０の背面と取り外し可能な方法で、係合するように構成できる。これは、製品が、いくつかのモデルに対して共通のアクチュエータ部品を有し、次いで、適切な押しボタンを単に取り付けて、ボタンの形状を映す切抜き（穴）を有する補完的な第２の本体部５１０（取っ手本体）に挿入するのを可能にする。
【００５７】
取っ手組立体は、第２の本体部５１０の上縁部と係合する上部リング６００で完成される。
【００５８】
ここで図１７および図１８を参照すると、例示的な傘ケース７００が例示されている。傘ケース７００は、合成繊維（例えば、ナイロン、帆布など）などの、適切な材料で形成された細長い中空構造物７１０である。構造物／本体７１０の中空内部は、傘を保管のために受け入れて、ジッパーまたはフックおよびループ状ストラップ７１５などの、締め具が、カバーを傘の周囲にぴったりと固定して取り付けるために提供される。周知のように、従来型の傘ケースは、剛性部品のない、本質的に管状の織物構造物であるので、非常に可撓性がある。これは、傘の使用時に、ケースが保管のために折り畳まれるのを可能にする。ケースがこの従来型の形状をとる場合、傘は、小売展示のために互いの上に置かれる。
【００５９】
本体７１０は、開いた第１の端部７１２および閉じた第２の端部７１４を有する。本発明によれば、ケース７００は、それが自立でき、従って、傘製品が、横にして置くのとは対照的に、垂直に（立たせて）ディスプレイできるように、設計される。これは、製品およびパッケージの目立つディスプレイを可能にする。これを達成するために、ケース７００の閉じた第２の端部７１４は、剛性のカップ構造７２０（例えば、輪状の形をしたリップをもつ基部円板または外周を囲む垂直壁）を有する。カップ構造７２０は、ケースが、ディスプレイなどの、平らな表面上に立つのを可能にする平らな（平面）底部である。カップ構造７２０は、シリコンを含む、任意の数の異なる材料で形成できる。ケースに挿入される場合、傘の一方の端部がカップ構造７２０内に収容される。
【００６０】
本発明は、そのある実施形態に関連して説明されているが、本発明は他の形式で、他の材料および構造物を使用して実施することが可能である。その結果、本発明は、本明細書に付加されている請求項内の記載およびそれらの均等物によって定義される。
【図１】
0006556124.tif 000002
【図２】
0006556124.tif 000003
【図３】
0006556124.tif 000004
【図４】
0006556124.tif 000005
【図５】
0006556124.tif 000006
【図６】
0006556124.tif 000007
【図７】
0006556124.tif 000008
【図７Ａ】
0006556124.tif 000009
【図７Ｂ】
0006556124.tif 000010
【図８】
0006556124.tif 000011
【図９】
0006556124.tif 000012
【図１０】
0006556124.tif 000013
【図１１】
0006556124.tif 000014
【図１２】
0006556124.tif 000015
【図１３】
0006556124.tif 000016
【図１４】
0006556124.tif 000017
【図１５】
0006556124.tif 000018
【図１６】
0006556124.tif 000019
【図１７】
0006556124.tif 000020
【図１８】
0006556124.tif 000021